(57)【要約】【課題】  人体の一部を覆って結び合わせる場合に結び易い又は結び目が解け難いとともに、生地の厚い又は重い中央部を大きく取ることが出来る繊維製品を提供する。【解決手段】  本発明に係る繊維製品は、長方形の繊維製品において、中央部と、前記中央部に隣接し、前記中央部の生地よりも薄い又は軽い生地の一以上の隣接部と、を有し、前記隣接部は、一つの頂点を構成する長辺の一部と短辺の一部とをこの頂点を囲んで繋げた形状の頂点囲み領域からなることを特徴とする。【選択図】図１
2009120999.tif 000002
【特許請求の範囲】
【請求項１】
長方形の繊維製品において、
中央部と、
前記中央部に隣接し、前記中央部の生地よりも薄い又は軽い生地の一以上の隣接部と、を有し、
前記隣接部は、一つの頂点を構成する長辺の一部と短辺の一部とをこの頂点を囲んで繋げた形状の頂点囲み領域からなることを特徴とする繊維製品。
【請求項２】
請求項１記載の繊維製品において、
前記繊維製品は、前記隣接部を二つ有し、
この二つの隣接部は、前記中央部の長辺方向両側に位置することを特徴とするもの。
【請求項３】
請求項１又は２記載の繊維製品において、
前記隣接部は、前記短辺を共通にする二つの前記頂点囲み領域からなることを特徴とし、
前記繊維製品は、前記頂点囲み領域よりもこの頂点囲み領域が囲む頂点側に位置し、この頂点囲み領域の生地よりも厚い又は重い生地の一以上の端部をさらに有するか、
前記中央部の長辺方向外側端は、前記隣接部の長辺方向内側端よりも長辺方向外側に位置するか、のうちの少なくとも一つを満たすことを特徴とするもの。
【請求項４】
請求項１又は２記載の繊維製品において、
前記隣接部は、一つの前記頂点囲み領域又は前記短辺を共通にする二つの前記頂点囲み領域と、両長辺の一部を繋げた帯状領域とを有し、
前記繊維製品は、前記中央部と前記隣接部との境界の長辺方向外側に前記隣接部の生地よりも厚い又は重い生地の一以上の端部を有し、
前記境界は、直線状であることを特徴とするもの。
【請求項５】
請求項１乃至４いずれか１項記載の繊維製品において、
前記頂点囲み領域は、斜め直線帯状領域、円弧帯状領域、又は折れ線帯状領域であることを特徴とするもの。
【請求項６】
長方形の繊維製品において、
中央部と、
前記中央部に隣接し、前記中央部の生地よりも薄い又は軽い生地の一以上の隣接部と、を有し、
前記中央部と前記隣接部との境界は、短辺方向中央が最も長辺方向外側又は内側に位置することを特徴とする繊維製品。
【請求項７】
長方形の繊維製品において、
中央部と、
前記中央部に隣接し、前記中央部の生地よりも薄い又は軽い生地の一以上の隣接部と、を有し、
前記中央部と前記隣接部との境界は、上長辺側上端が下長辺側下端よりも長辺方向内側に位置するとともに、外側に膨らんでいることを特徴とする繊維製品。
【請求項８】
請求項６又は７記載の繊維製品において、
前記隣接部は、曲線帯状領域又は折れ線帯状領域を有することを特徴とするもの。
【請求項９】
請求項６乃至８いずれか１項記載の繊維製品において、
前記隣接部は、一つの頂点を構成する長辺の一部と短辺の一部とをこの頂点を囲んで繋げた形状の一以上の頂点囲み領域を有することを特徴とするもの。
【発明の詳細な説明】
【技術分野】
【０００１】
本発明は、長方形の繊維製品に関する。
【背景技術】
【０００２】
人体の一部（頭又は腰等）を覆って結び合わせた場合に結び易くなる又は結び目が解け難くなるように、一部の生地を薄くした長方形のタオル等の繊維製品が開発されている。
【０００３】
例えば、特許文献１には、長方形状のタオルの後頭部の内２箇所をマジックテープ（登録商標）・ボタン・紐等の留め合わせる事の出来る部材を付け、結び合わせる部分の生地を薄くし、額部にマーク・ロゴ・紋章・文字・キャラクター等のデザインを刺繍・プリント・印刷・ジャガード織り等で入れた事を特徴とする帽子にもなるタオルが開示されている。
【０００４】
【特許文献１】実用新案登録第３１３２９３４号
【発明の開示】
【発明が解決しようとする課題】
【０００５】
上記の繊維製品では、生地の薄い部分が矩形又は正方形で、主に人体の一部を覆う生地の厚い中央部の面積が必要以上に小さくなってしまうという不都合があった。生地の厚い中央部の面積が小さいと、例えば、繊維製品自体の見栄えが悪い、人体の一部を覆う部分の中で生地の薄い部分の面積が大きくなって汗の吸収が悪い、人体の一部を覆う部分の中で生地の薄い部分の面積が大きくなって覆い心地が悪い等の不都合がある。なお、生地を薄くする場合の他、生地を軽くしても同様のことがいえる場合がある。
【０００６】
本発明は上記点に鑑みてなされたものであり、その目的とするところは、人体の一部を覆って結び合わせる場合に結び易い又は結び目が解け難いとともに、生地の厚い又は重い中央部を大きく取ることが出来る繊維製品を提供することにある。
【課題を解決するための手段】
【０００７】
本発明に係る繊維製品は、
長方形の繊維製品において、
中央部と、
前記中央部に隣接し、前記中央部の生地よりも薄い又は軽い生地の一以上の隣接部と、を有し、
前記隣接部は、一つの頂点を構成する長辺の一部と短辺の一部とをこの頂点を囲んで繋げた形状の頂点囲み領域からなることを特徴とする。
【０００８】
繊維製品で人体の一部を覆ってこの繊維製品の長辺共通の両頂点周辺を結び合わせた場合に形成される第１結び目を構成する二つの第１結び目構成部は、それぞれ、一つの頂点を構成する長辺の一部と短辺の一部とをこの頂点を囲んで繋げた形状になることを本願発明者は見出した。この繊維製品によれば、生地の薄い又は軽い隣接部は、一つの頂点を構成する長辺の一部と短辺の一部とをこの頂点を囲んで繋げた形状の頂点囲み領域からなるので、この隣接部は、上記の第１結び目構成部の形状に合わせて形成されることになる。このため、隣接部を小さく出来、この繊維製品は、人体の一部を覆って結び合わせる場合に結び易い又は結び目が解け難いとともに、生地の厚い又は重い中央部を大きく取ることが出来る繊維製品となる。
【０００９】
また、本発明に係る繊維製品は、
前記繊維製品は、前記隣接部を二つ有し、
この二つの隣接部は、前記中央部の長辺方向両側に位置することを特徴とする。
【００１０】
前記繊維製品は、前記隣接部を二つ有し、この二つの隣接部は、前記中央部の長辺方向における両側に位置するので、二つの第１結び目構成部について生地を薄く又は軽く出来るので、隣接部が一つのときよりも結び易く又は結び目が解け難くなる。
【００１１】
また、本発明に係る繊維製品は、
前記隣接部は、前記短辺を共通にする二つの前記頂点囲み領域からなることを特徴とし、
前記繊維製品は、前記頂点囲み領域よりもこの頂点囲み領域が囲む頂点側に位置し、この頂点囲み領域の生地よりも厚い又は重い生地の一以上の端部をさらに有するか、
前記中央部の長辺方向外側端は、前記隣接部の長辺方向内側端よりも長辺方向外側に位置するか、のうちの少なくとも一つを満たすことを特徴とする。
【００１２】
前記隣接部は、前記短辺を共通にする二つの前記頂点囲み領域からなることにより、上記のように結び合わせる際に、どちらの長辺を下にするかといったことを気にせずに、この繊維製品を使用できる。このため、この繊維製品の取り扱いが容易になる。
【００１３】
また、本発明に係る繊維製品は、
前記隣接部は、一つの前記頂点囲み領域又は前記短辺を共通にする二つの前記頂点囲み領域と、両長辺の一部を繋げた帯状領域とを有し、
前記繊維製品は、前記中央部と前記隣接部との境界の長辺方向外側に前記隣接部の生地よりも厚い又は重い生地の一以上の端部を有し、
前記境界は、直線状であることを特徴とする。
【００１４】
前記隣接部は、一つの前記頂点囲み領域又は前記短辺を共通にする二つの前記頂点囲み領域と、両長辺の一部を繋げた帯状領域とを有することにより、複数の使用方法による複数の結び目を構成する各結び目構成部を含むことが出来、この繊維製品は結び目が結び易い又は結び目が解け難い繊維製品となる。
【００１５】
また、本発明に係る繊維製品は、
前記頂点囲み領域は、斜め直線帯状領域、円弧帯状領域、又は折れ線帯状領域であることを特徴とする。
【００１６】
前記頂点囲み領域は、斜め直線帯状、円弧帯状、又は折れ線帯状の形状であるので、この頂点囲み領域は、第１結び目構成部の形状に近くなる。このため、中央部を大きく取れる。
【００１７】
また、本発明に係る繊維製品は、
長方形の繊維製品において、
中央部と、
前記中央部に隣接し、前記中央部の生地よりも薄い又は軽い生地の一以上の隣接部と、を有し、
前記中央部と前記隣接部との境界は、短辺方向中央が最も長辺方向外側又は内側に位置することを特徴とする。
【００１８】
例えば、前記繊維製品を短辺方向に二つに折ってから長辺中央又は折り目中央を額に当てて頭を覆い、この繊維製品の両長辺及び折り目の一部をそれぞれ含む二つの領域を後頭部で結び合わせた場合に形成される第２結び目を構成する二つの第２結び目構成部の形状は、それぞれ、短辺に平行にならず、さらに、短辺方向中央の部分が最も長辺方向外側又は内側に位置することを本願発明者は見出した。これは、額に当てて後頭部付近に回すのに必要な額側の折り目又は長辺の長さが、頭の頂点付近に回り込む折り目又は長辺の長さよりも長くなることに起因する。この繊維製品では、前記中央部と前記隣接部との境界は、短辺方向中央が最も長辺方向外側又は内側に位置するので、生地の薄い又は軽い隣接部を第２結び目構成部の形状に合わせることが出来る。このため、隣接部を小さく出来、この繊維製品は、人体の一部を覆って結び合わせる場合に結び易い又は結び目が解け難いとともに、生地の厚い又は重い中央部を大きく取ることが出来る繊維製品となる。
【００１９】
また、本発明に係る繊維製品は、
長方形の繊維製品において、
中央部と、
前記中央部に隣接し、前記中央部の生地よりも薄い又は軽い生地の一以上の隣接部と、を有し、
前記中央部と前記隣接部との境界は、上長辺側上端が下長辺側下端よりも長辺方向内側に位置するとともに、外側に膨らんでいることを特徴とする。
【００２０】
例えば、前記繊維製品の下長辺の中央を額に当ててこの繊維製品で頭を覆い、この繊維製品の両長辺の一部をそれぞれ含む二つの領域を後頭部で結び合わせた場合に形成される第３結び目を構成する二つの第３結び目構成部の形状は、それぞれ、短辺に平行にならず、さらに、上長辺側上端が下長辺側下端よりも長辺方向内側に位置するとともに、外側に膨らんでいることを本願発明者は見出した。これは、額に当てて後頭部付近に回すのに必要な下側の長辺の長さが、頭の後頭部付近に回り込む上側の長辺の長さよりも長くなることに起因する。この繊維製品では、上長辺側上端が下長辺側下端よりも長辺方向内側に位置するとともに、外側に膨らんでいるので、生地の薄い又は軽い隣接部を第３結び目構成部の形状に合わせることが出来る。このため、隣接部を小さく出来、この繊維製品は、人体の一部を覆って結び合わせる場合に結び易い又は結び目が解け難いとともに、生地の厚い又は重い中央部を大きく取ることが出来る繊維製品となる。
【００２１】
さらに、この繊維製品では、境界の形状によって、第２結び目構成部も含めることが出来る場合がある。この場合、この繊維製品は、複数の使用方法に対応でき、かつ、中央部を大きく取れる繊維製品となる。
【００２２】
また、本発明に係る繊維製品は、
前記隣接部は、曲線帯状領域又は折れ線帯状領域を有することを特徴とする。
【００２３】
前記隣接部は、曲線帯状領域又は折れ線帯状領域を有することにより、隣接部の形状を第２及び又は第３結び目構成部に合わせることが出来る。
【００２４】
また、本発明に係る繊維製品は、
前記隣接部は、一つの頂点を構成する長辺の一部と短辺の一部とをこの頂点を囲んで繋げた形状の一以上の頂点囲み領域を有することを特徴とする。
【００２５】
前記隣接部は、一つの頂点を構成する長辺の一部と短辺の一部とをこの頂点を囲んで繋げた形状の一以上の頂点囲み領域を有することにより、第１結び目構成部も含むことが出来、この繊維製品は、複数の結び方に対応した繊維製品となる。
【００２６】
本発明において、隣接部が、複数の領域（頂点囲み領域又は帯状領域等）からなっている場合等、複数の領域を有する場合は、この領域同士は、離れていてもよいし、一部又は全部が重なっていてもよい。帯状領域としては、曲線帯状領域、折れ線帯状領域、斜め直線帯状領域、円弧帯状領域、又は折れ線帯状領域がある。
【００２７】
帯状領域は、一方の長辺の一部と、他方の長辺の一部とを繋げて形成される場合、上長辺の一部と下長辺の一部とのうちどちらか一方は、頂点（後述の耳がある場合には耳の内側の部分の頂点）を含まない。また、帯状領域は、一つの頂点を構成する長辺の一部と、短辺の一部とを繋げて形成される場合、長辺の一部及び短辺の一部は、頂点（後述の耳がある場合には耳の内側の部分の頂点）を含まない。
【００２８】
本発明において、円弧は、略円弧も含む。本発明において、扇は、略扇も含む。本発明において、中央は、略中央も含む。本発明において、折れ線は、折れ線を構成する一部の直線が曲線となる線も含み、頂点が丸まっている線も含む。本発明において、三角形、長方形等の多角形は、少なくとも一辺が曲線であっても良い。
【００２９】
本発明において、膨らむという表現は、曲線状に膨らむ、先が尖るように突出して膨らむ、及び折れ線状に膨らむ場合も含むことをも含む。また、本発明において、膨らむという表現は、全体が膨らむことはもちろん一部が膨らむということをも含む。本発明において、略中央側を内側、その略反対側を外側という。本発明において、頭を覆うとは、頭、首、耳周辺、及び顔周辺等を含む頭部の少なくとも一部を覆うことをいう。
【００３０】
本発明において、上下は適宜決定するが、繊維製品で人体の一部を覆ってこの繊維製品の長辺共通の両頂点周辺を結び合わせる場合は、この長辺側を下と表現し、反対側の長辺側を上と表現する。前記繊維製品の下長辺の中央を額に当ててこの繊維製品で頭を覆い、この繊維製品の両長辺の一部を含む領域を後頭部で結び合わせた場合、下は額側となる。上はその反対側である。
【００３１】
本発明において、生地についての薄い又は軽い等の表現は、大部分（例えば、各領域や各部の８０パーセント）が薄ければよく又は軽ければよく、用途に応じて適宜厚い又は重い部分があることをも含む表現である。また、この表現は、生地を不均一に薄く又は軽くすることをも含む表現である。また、この表現では、繊維製品の縁の布地を折り返した部分（所謂耳の部分）までも薄く又は軽くしなくても良い。
【００３２】
本発明において、生地についての厚い又は重い等の表現は、大部分（例えば、各領域や各部の８０パーセント）が厚ければよく又は重ければよく、用途に応じて適宜薄い又は軽い部分があることをも含む表現である。また、この表現は、生地を不均一に厚く又は重くすることをも含む表現である。また、この表現では、繊維製品の縁の布地を折り返した部分（所謂耳の部分）までも厚く又は重くしなくても良い。
【００３３】
本発明において、中央部の一部に隣接部の生地よりも薄いか同じ厚さの生地があっても良い。
【００３４】
本発明に係る繊維製品は、各部（例えば中央部及び隣接部等）を一体的に形成することにより全体を一枚の製品として形成する。又は、本発明に係る繊維製品は、各部又は各領域（例えば頂点囲み領域）を別途形成してから縫い合わせる等して全体を形成する。上記の各部、及び各領域は、パイル織物（例えばタオル地の生地）、布、ガーゼ、不織布等の繊維製生地で適宜形成される。本発明に係る繊維製品は、例えば、一枚もののフェイスタオル、スポーツタオル等の両面にパイルが形成されたタオル地の綿製タオルに、パイル地の無い平地の、平地の少なくとも一方の面にシャーリングを形成した、又は両面にシャーリングを形成した隣接部を形成したものにより繊維製品として形成される。なお、生地を薄くした隣接部は、片面だけにパイルを形成したパイル織物としても良い。この場合、デザイン性の自由度、吸水性の良さ、覆い心地の良さ等が得られる場合がある。
【００３５】
本発明において頂点を囲むという表現は、頂点の周囲の一部の範囲（例えば９０度の範囲）で囲むという表現である。
【発明の効果】
【００３６】
本発明によれば、人体の一部を覆って結び合わせる場合に結び易い又は結び目が解け難いとともに、生地の厚い又は重い中央部を大きく取ることが出来る繊維製品となる。
【発明を実施するための最良の形態】
【００３７】
本発明の実施形態の例について図面を参照しながら説明する。本発明は下記の実施形態にのみ限定されるものではない。本発明の要旨を逸脱しない範囲で下記の実施形態に変更（例えば構成要素の省略又は付加、構成要素の形状の変更等）を加えることが出来るのはもちろんである。なお、図の一部において、各結び目構成部を二点鎖線及び実線で囲んだ部分で模式的に表現したが、頭の形の個人差や、人体の一部を覆う覆い方によって、形状が多少変化する。
【００３８】
（第１実施形態）
図１のように、繊維製品１は長方形である。そして、中央部２と、隣接部５と、隣接部６と、端部７と、端部８と、を有する。
【００３９】
中央部２は、長辺方向（図１に向かって左右方向、以下同じ。）の中央に位置する。中央部２は、繊維製品１により人体の一部（例えば、頭又は腰）を覆って結び合わせた場合に、主に、この人体の一部を覆う役割を有する覆い部である。
【００４０】
隣接部５は、中央部２に隣接し、かつ、中央部２の長辺方向左側の左短辺２３側に位置する。隣接部６は、中央部２に隣接し、かつ、中央部２の長辺方向右側の右短辺２４側に位置する。隣接部５と、隣接部６とは、頂点囲み領域からなるので、隣接部５と、隣接部６とは、それぞれ、頂点囲み領域５ａと、頂点囲み領域６ａとなる。また、隣接部５及び６は、生地が中央部２の生地よりも薄い又は軽い。
【００４１】
繊維製品１で人体の一部を覆ってこの繊維製品１の下長辺共通の両頂点４３及び４４周辺を結び合わせた場合（以下、第１使用方法という。）に形成される第１結び目を構成する第１結び目構成部５ｘは、一つの頂点４３を構成する下長辺２２の一部と左短辺２３の一部とをこの頂点４３を囲んで繋げた形状で、円弧帯状領域になる。第１使用方法で形成される第１結び目に構成する第１結び目構成部６ｘは、一つの頂点４４を構成する長辺２２の一部と右短辺２４の一部とをこの頂点４４を囲んで繋げた形状で、円弧帯状領域になる。
【００４２】
頂点囲み領域５ａ（又は６ａ）は、第１結び目構成部５ｘ（又は６ｘ）を含むように形成する。頂点囲み領域５ａ（又は６ａ）は、一つの頂点４３（又は４４）周辺に位置する。頂点囲み領域５ａ（又は６ａ）は、一つの頂点４３（又は４４）を構成する下長辺２２の頂点４３（又は４４）側一部２２ｂ（又は２２ｄ）と左短辺２３（又は右短辺２４）の頂点４３（又は４４）側一部２３ｂ（又は２４ｂ）とをこの頂点４３（又は４４）を囲んで繋げた形状で、円弧帯状となる。頂点囲み領域５ａ（又は６ａ）は、中央部２との境界１１（又は１３）、端部７（又は端部８）との境界１２（又は１４）、左短辺２３（又は右短辺２４）の一部２３ｂ（又は２４ｂ）、及び下長辺２２の一部２２ｂ（又は２２ｄ）で囲まれる。境界１１、境界１２、境界１３、及び境界１４は、円弧状である。
【００４３】
このように形成された隣接部５（又は６）は、頂点囲み領域５ａ（又は６ａ）となり、第１結び目構成部５ｘ（又は６ｘ）の形状に併せて形成されるため、中央部２０２の面積を大きく取ることが出来る。そして、隣接部５（又は６）は円弧帯状なので、第１結び目構成部５ｘ（又は６ｘ）の形状により近づけることが出来、隣接部５（又は６）を小さく出来、中央部２を大きく出来る。中央部２を大きくとれば人体を覆う部分の面積を大きく出来、見栄えがよく、汗の吸収率、又は覆い心地も良くなる。
【００４４】
境界１１と、境界１２とは互いに平行であっても、平行でなくても良い。境界１３と、境界１４とは互いに平行であっても、平行でなくても良い。
【００４５】
端部７（又は８）は、頂点囲み領域５ａ（又は６ａ）よりもこの頂点囲み領域５ａ（又は６ａ）が囲む頂点４３（又は４４）側（外側）に位置し、扇形状になる。端部７（又は８）は、それぞれ、隣接部５（又は６）よりも生地が厚い又は重い。端部７（又は８）により、境界１１（又は１３）の外側に隣接部５（又は６）の生地よりも生地の厚い又は重い部分が形成されていることになる。端部７（又は８）の生地が頂点囲み領域５ａ（又は６ａ）の生地よりも厚い又は重いと、第１結び目を形成した際に、この端部７（又は８）が引っかかりとなるため、第１結び目が解け難くなる。
【００４６】
中央部２、端部７、及び端部８は、タオル地で形成される。隣接部５及び６は、平地で形成される。なお、中央部２、端部７、及び端部８は、それぞれ異なる厚さ又は重さであってもよい。
【００４７】
このように形成した隣接部５及び６は第１結び目構成部５ｘ及び６ｘを含むので、第１結び目は頂点囲み領域５ａ及び６ａの少なくとも一部で形成され、第１使用方法において、この繊維製品１は結び易いとともに第１結び目が解け難くなる。
【００４８】
さらに、二つの隣接部５及び６は、中央部２の長辺方向における両側に位置するので、二つの第１結び目構成部５ｘ及び６ｘについて生地を薄く又は軽く出来るので、隣接部が一つのときよりも結び易いとともに第１結び目が解け難くなる。隣接部５及び６は、長辺方向中央を軸にして左右対称にすることが望ましい。隣接部５及び６はどちらか一方でも良い。この場合でも、ある程度結び易いとともに第１結び目が解け難くなる。
【００４９】
第１使用方法は、例えば、第１Ａ乃至第１Ｃ使用方法のいずれかである。第１結び目構成部５ｘ及び６ｘは、具体的には下記の第１Ａ乃至第１Ｃ使用方法により形成される第１Ａ乃至第１Ｃ結び目を構成する第１Ａ乃至第１Ｃ結び目構成部のいずれかとなる。なお、使用方法により、第１Ａ乃至第１Ｃ結び目構成部は、位置及び形状が異なる場合がある。また、人体の一部の大きさ等は個人差がある。このため、第１Ａ乃至第１Ｃ結び目構成部を含むように、頂点囲み領域５ａ及び６ａは、大きめに取った方がよい。すなわち、下長辺２２の一部２２ｄ、右短辺２４の一部２４ｂ、下長辺２２の一部２２ｂ、及び左短辺２３の一部２３ｂを適宜長く取った方が良い。これにより、頂点囲み領域５ａ及び６ａは大きくなる。そして、頂点囲み領域５ａ及び６ａは幅広になる。これにより、繊維製品１は、三種類の使用方法について結び易いとともに第１結び目が解け難くなる繊維製品となる。また、適宜、第１Ａ乃至第１Ｃ結び目構成部のうちの少なくとも一つを含むように、頂点囲み領域５ａ及び６ａを形成しても良い。なお、第１使用方法は、繊維製品１で腰を覆ってこの繊維製品の下長辺２２両頂点周辺を結び合わせる方法であってもよい。
【００５０】
繊維製品の寸法は、例えば、上長辺２１及び下長辺２２の長さが８４ｃｍである。短辺２３及び２４の長さが３４ｃｍである。２２ｃは、例えば、人の平均的な頭囲等の頭部周長の長さよりもやや短い程度の長さが良く、４５ｃｍから５５ｃｍの間の長さでもよい。２２ｂ、２２ｄ、２３ｂ、２４ｂは、例えば第１結び目相当部を含むように９ｃｍから１５ｃｍにする。
【００５１】
生地が薄ければ生地が柔らかくなる等の理由により、結ぶときに結び易く、第１結び目が解け難くなる。また、例えばタオル地においては、生地の重量により繊維の密度等が表される。生地が軽ければ、繊維の密度が小さくなって柔らかくなる、又は表面が粗くなる等に理由により、結ぶときに結び易く、第１結び目が解け難くなる。また、隣接部の大きさを小さく出来ると、吸水性が良くなり、顔を拭く等の繊維製品本来の使用方法の使用感を良くすることが出来る。また、繊維製品についてのデザインの自由度も上がる。さらに、結び目構成部の生地が薄い又は軽いと、第１結び目の大きさも小さく出来る。
【００５２】
ここで、第１Ａ乃至第１Ｃ使用方法について説明する。
【００５３】
（第１Ａ使用方法）
（１）下長辺２２の中央部分２２ｃの中央を頭の後頭部に当て、額の上（髪の生え際）で、両頂点４３及び４４周辺を結び合わせる（図２、第１Ａ使用方法）。
（２）上長辺２１側を上に持ち上げる（図３）。
（３）短辺２３側の中央部２を頭に巻きつける（図４）。
（４）短辺２４側の中央部２を前記短辺２３側の中央部２を上から覆うように頭に巻きつける（図５及び図６）。
【００５４】
図２乃至図６のような使用方法は、例えば、髪の長い女性が風呂上りに頭を乾かすためにタオルを頭に巻く使用方法である。図１乃至図６のように頭の髪を覆うように繊維製品が巻かれている。図２乃至図５のように、第１結び目５１は、頂点囲み領域５ａ及び６ａの少なくとも一部で形成されている。なお、第１端部７及び第２端部８は、適宜繊維製品の中に入れられている。
【００５５】
（第１Ｂ使用方法）
（１）繊維製品１の中央を頭の頭長部に合わせて、繊維製品１で頭を覆う。
（２）下長辺２２を共通にする両頂点４３及び４４周辺を結び合わせる（図７乃至図８）。
【００５６】
図７及び図８のような使用方法は、例えば、女性がお茶を積む等の農作業のために、タオルで頭を覆う使用方法である。図７及び図８のように、結び目５２は、頂点囲み領域５ａ及び６ａで形成さている。
【００５７】
（第１Ｃ使用方法）
（１）下長辺２２の中央部分２２ｃの中央を額に当て、後頭部で、両頂点４３及び４４周辺を結び合わせる。
（２）また、短辺２３及び２４周辺を垂らすようにする（図９乃至図１１）。
【００５８】
図９乃至図１１のような使用方法は、例えば、タオルで頭を覆うとともに、男性が首筋に日除け（短辺２３及び２４周辺）を設ける使用方法である。図１０及び図１１のように、結び目５３は、頂点囲み領域５ａ及び６ａで形成されている。
【００５９】
（第２実施形態）
第２実施形態では、隣接部１０５は、左短辺１２３を共通にする二つの頂点囲み領域１０５ａ及び１０５ｂからなる。隣接部１０６は、右短辺１２４を共通にする二つの頂点囲み領域１０６ａ及び１０６ｂからなる。すなわち、この繊維製品１０１は、各頂点についてそれぞれ頂点囲み領域を有するので、頂点囲み領域を４つ有する。これにより、第１使用方法を行う際に、どちらの長辺を下にするかといったことを気にせずに、この繊維製品１を使用できる。このため、この繊維製品１の取り扱いが容易になる。なお、二つの頂点囲み領域はもっと離れても良いし、一部が重複していても良い。なお、隣接部１０５及び１０６のどちらか一方のみ形成する場合でも、隣接部が短辺を共通にする二つの頂点囲み領域からなることにより、繊維製品で人体の一部を覆ってこの繊維製品の長辺共通の両頂点周辺を結び合わせる際に、どちらの長辺を下にするかといったことを気にせずに、この繊維製品を使用できる。
【００６０】
また、第２実施形態では、下記の条件のいずれか少なくとも一方を満たす。なお、図１２では両者を満たす。
（１）繊維製品１０１は、頂点囲み領域１０５ａ等よりもこの頂点囲み領域１０５ａ等が囲む頂点４３等側に位置し、この頂点囲み領域１０５ａ等の生地よりも厚い又は重い生地の一以上の端部１０７ａ、１０７ｂ、１０８ａ、又は１０８ｂをさらに有する。
（２）中央部１０２の長辺方向外側端１０２ａ（又は１０２ｂ）は、隣接部１０５（又は１０６）の長辺方向内側端１０５ａａ（、１０５ｂａ、１０６ａａ、又は１０６ｂａ）よりも長辺方向外側に位置する。すなわち、中央部１０２の一部は、隣接部１０５及び１０６に対して長辺方向外側に食い込んでいる。
これにより、隣接部１０５及び１０６を不必要に大きくする事がなくなるので、生地の薄い又は軽い部分をより効率的に小さくすることが出来る。
【００６１】
その他の説明については、第１実施形態の説明に適宜準じる。
【００６２】
（第３実施形態）
第１実施形態又は第２実施形態とは各部の形状が異なる。図１３のように、繊維製品２０１は長方形である。そして、中央部２０２と、隣接部２０５と、隣接部２０６と、端部２０７と、端部２０８と、を有する。隣接部２０５と、隣接部２０６とは、それぞれ、曲線帯状領域２０５ｃと、曲線帯状領域２０６ｃとからなる。
【００６３】
繊維製品２０１を短辺方向に二つに折ってから長辺中央又は折り目中央を額に当てて頭を覆い、この繊維製品２０１の両長辺及び折り目の一部をそれぞれ含む二つの領域を後頭部で結び合わせた場合（以下、第２使用方法という。）に形成される第２結び目を構成する第２結び目構成部のうちの、折り目中央を額に当てた場合（以下、第２Ａ使用方法という。）に形成される第２Ａ結び目を構成する第２Ａ結び目構成部２０５ｘ（又は２０６ｘ）の形状は、左短辺２２３（又は右短辺２２４）に平行にならず、短辺方向中央の部分が最も長辺方向外側に位置する形状となる。また、第２Ａ結び目構成部２０５ｘ（又は２０６ｘ）の形状は、長辺方向外側に膨らんだ形状を有し、上長辺２２１の左短辺２２３側（又は右短辺２２４側）の一部と、下長辺２２２の左短辺２２３側（又は右短辺２２４側）の一部とを繋げた曲線帯状特に湾曲線帯状になる。そして、第２Ａ結び目構成部２０５ｘ（又は２０６ｘ）は、短辺方向中央を軸にして上下対称となっている。
【００６４】
曲線帯状領域２０５ｃ（又は２０６ｃ）は、第２Ａ結び目構成部２０５ｘ（又は２０６ｘ）を含むように形成する。曲線帯状領域２０５ｃ（又は２０６ｃ）は、左短辺２２３（又は右短辺２２４）周辺に位置する。曲線帯状領域２０５ｃ（又は２０６ｃ）は、短辺方向中央の部分が最も長辺方向外側に位置する形状となる。曲線帯状領域２０５ｃ（又は２０６ｃ）の形状は、長辺方向外側に膨らんだ形状を有し、上長辺２２１の左短辺２２３側（又は右短辺２２４側）の一部２２１ｂ（又は２２１ｄ）と、下長辺２２２の左短辺２２３側（右短辺２２４側）の一部２２２ｂ（又は２２２ｄ）とを繋げた湾曲線帯状領域になる。そして、曲線帯状領域２０５ｃ（又は２０６ｃ）は、短辺方向中央を軸にして上下対称となっている。曲線帯状領域２０５ｃ（又は２０６ｃ）は、中央部２０２との境界２１１（又は２１３）、端部２０７（又は端部２０８）との境界２１２（又は２１４）、上長辺２２１の一部２２１ｂ（又は２２１ｄ）、及び下長辺２２２の一部２２２ｂ（又は２２２ｄ）で囲まれる。境界２１１、境界２１２、境界２１３、及び境界２１４は、湾曲線状である。
【００６５】
繊維製品２０２では、境界２１１（又は２１３）は、中央部２０２の外側に向かって膨らむとともに、短辺方向中央２９１（又は２９２）が最も長辺方向外側に位置する形状となっている。これにより、隣接部は、第２Ａ結び目構成部２０５ｘ（又は２０６ｘ）の形状に合わせることが出来、中央部２０２を大きく取ることができる。さらに、隣接部２０５（又は２０６）が曲線帯状領域２０５ｃ（又は２０６ｃ）からなっているため、境界２１１（又は２１３）の形状は曲線帯状領域２０５ｃ（又は２０６ｃ）に依存し、隣接部２０５の形状がより第２Ａ結び目構成部２０５ｘの形状に合わせることが出来るため、隣接部２０５を小さく出来る。
【００６６】
境界２１１と、境界２１２とは互いに平行であっても、平行でなくても良い。境界２１３と、境界２１４とは互いに平行であっても、平行でなくても良い。
【００６７】
端部２０７は、隣接部２０５の長辺方向外側（左短辺２２３側）に位置する。端部２０８は、隣接部２０６の長辺方向外側（右短辺２２４側）に位置する。端部２０７（又は端部２０８）は、隣接部２０５（又は２０６）の形状によって形状が決定される。端部２０７（又は端部２０８）は、左短辺２２３（又は右短辺２２４）近傍に位置する。端部２０７及び端部２０８は、それぞれ、隣接部２０５又は隣接部２０６よりも生地が厚い又は重い。境界２１１（又は２１２）の外側に隣接部２０５（又は２０６）の生地よりも生地の厚い又は重い部分が形成されている。端部２０７及び端部２０８の生地が隣接部２０５及び２０６の生地よりも厚い又は重いと、第２結び目を形成した際に、この端部２０７、及び端部２０８が引っかかりとなるため、第２結び目が解け難くなる。
【００６８】
このように形成した隣接部２０５及び２０６は第２Ａ結び目構成部２０５ｘ及び２０６ｘを含むので、第２Ａ結び目は隣接部２０５及び２０６の少なくとも一部で形成される。このため、この繊維製品２０１は、第２Ａ使用方法において、結び易く第２Ａ結び目が解け難くなる。
【００６９】
さらに、二つの隣接部２０５及び２０６は、中央部２０２の長辺方向における両側に位置するので、二つの第２Ａ結び目構成部２０５ｘ及び２０６ｘについて生地を薄く又は軽く出来るので、隣接部が一つのときよりも結び易く第２Ａ結び目が解け難くなる。隣接部２０５及び２０６は、長辺方向中央を軸にして左右対称にすることが望ましい。隣接部２０５及び２０６はどちらか一方でも良い。この場合でも、第２Ａ結び目がある程度結び易く第２Ａ結び目が解け難くなる。
【００７０】
頭の大きさは個人差があるため、第２Ａ結び目構成部２０５ｘ及び２０６ｘの位置及び形状は、人によって異なる。このため、曲線帯状領域２０５ｃ及び２０６ｃは、大きめに取った方がよい。すなわち、上長辺２２１の一部２２１ｂ、下長辺２２２の一部２２２ｂ、上長辺２２１の一部２２１ｄ、及び下長辺２２２の一部２２２ｄ、を適宜長く取った方が良い。これにより、曲線帯状領域２０５ｃ及び２０６ｃは大きくなる。そして、曲線帯状領域２０５ｃ及び２０６ｃは幅広になる。
【００７１】
繊維製品の寸法は、例えば、上長辺２２１及び下長辺２２２の長さが８４ｃｍである。短辺２２３及び２２４の長さが３４ｃｍである。境界２１１と、境界２１３との距離で最も長い距離（短辺方向中央における距離、中央２９１から２９２までの距離）は、例えば人の平均的な頭囲等の頭部周長の長さよりもやや短い程度の長さが良く、４５ｃｍから５５ｃｍで、特に５０ｃｍ程度が良い。２２１ｂ、２２１ｄ、２２２ｂ、２２２ｄは第２Ａ結び目相当部を含むように１０ｃｍから１６ｃｍの間の長さでもよい。なお、左短辺２２３（又は右短辺２２４）と、境界２１２（又は境界２１４）との距離で最も短い距離（短辺方向中央における距離）は、６ｃｍになる。
【００７２】
ここで、第２Ａ使用方法について説明する。
【００７３】
（第２Ａ使用方法）
（１）繊維製品２０１を短辺方向に二つに折る。
（２）（１）のより形成された折り目２２６中央を額に当てて頭を覆い、この繊維製品２０１の両長辺及び折り目の一部をそれぞれ含む二つの領域を後頭部で結び合わせる（図１４乃至図１６）。
【００７４】
図１４乃至図１６のような使用方法は、例えば、男性が肉体労働時に汗を繊維製品２０１に吸収させるため等を目的としたものである。図１４乃至図１６のように、結び目２５４は、曲線帯状領域２０５ｃ及び２０６ｃの少なくとも一部で形成さている。
【００７５】
その他の説明は、第１実施形態及び第２実施形態の説明に適宜準じる。
【００７６】
（第４実施形態）
第３実施形態では、第２Ａ使用方法に合わせて、曲線帯状領域２０５ｃ及び２０６ｃや境界２１１及び２１３等の形状を決定したが、第４実施形態では、第２使用方法のうちの、長辺中央を額に当てた場合（以下、第２Ｂ使用方法という。）に合わせて、曲線帯状領域や境界の形状を決定した。
【００７７】
図１７のように、第２Ｂ使用方法で形成される第２Ｂ結び目に構成する第２Ｂ結び目構成部３０５ｘの形状は、左短辺３２３に平行にならず、短辺方向中央の部分が最も長辺方向内側に位置する形状となる。また、第２Ｂ結び目構成部３０５ｘの形状は、先が尖るように内側に突出して内側に膨らんだ形状を有し、上長辺３２１の左短辺３２３側の一部と、下長辺３２２の左短辺３２３側の一部とを繋げた曲線帯状になる。そして、第２Ｂ結び目構成部３０５ｘは、短辺方向中央を軸にして上下対称となっている。維製品３０１は、繊維製品２０１を短辺方向中央の折り目２２６の境にした上部と下部を入れ替えた形状となる。額に当てる部分が、上下逆になるからである。なお、図１７では、繊維製品３０１の右半分を省略したが、右半分の形状は適宜決定する。例えば、長辺方向中央を軸にして左右対称に隣接部３０５を設けても良い。
【００７８】
曲線帯状領域３０５ｃは、第２Ｂ結び目構成部３０５ｘを含むように形成する。曲線帯状領域３０５ｃは、左短辺３２３周辺に位置する。曲線帯状領域３０５ｃは、短辺方向中央の部分が最も長辺方向内側に位置する形状となる。曲線帯状領域３０５ｃは、先が尖るように内側に突出して内側に膨らんだ形状を有し、上長辺３２１の左短辺３２３側の一部３２１ｂと、下長辺３２２の左短辺３２３側の一部３２２ｂとを繋げた曲線帯状領域になる。そして、曲線帯状領域３０５ｃは、短辺方向中央を軸にして上下対称となっている。曲線帯状領域３０５ｃは、中央部３０２との境界３１１、端部３０７との境界３１２、上長辺３２１の一部３２１ｂ、及び下長辺３２２の一部３２２ｂで囲まれる。境界３１１、境界３１２は、先が尖るように内側に突出して内側に膨らんだ曲線状である。
【００７９】
繊維製品３０２では、境界３１１は、中央部３０２の内側に向かって膨らむとともに、短辺方向中央が最も長辺方向内側に位置する形状となっている。これにより、隣接部３０５は、第２Ｂ結び目構成部３０５ｘの形状に合わせることが出来、中央部３０２を大きく取ることができる。さらに、隣接部３０５が曲線帯状領域３０５ｃからなっているため、境界２１１の形状は曲線帯状領域３０５ｃに依存し、隣接部３０５の形状がより第２Ｂ結び目構成部３０５ｘの形状に合わせることが出来るため、隣接部３０５を小さく出来る。
【００８０】
頭の大きさは個人差があるため、第２Ｂ結び目構成部３０５ｘの位置及び形状は、人によって異なる。このため、曲線帯状領域３０５ｃは、大きめに取った方がよい。すなわち、上長辺３２１の一部３２１ｂ、及び下長辺３２２の一部３２２ｂを適宜長く取った方が良い。これにより、曲線帯状領域３０５ｃは大きくなる。そして、曲線帯状領域３０５ｃは幅広になる。
【００８１】
ここで、第２Ｂ使用方法について説明する。
【００８２】
（第２Ｂ使用方法）
（１）繊維製品３０１を短辺方向に二つに折る。
（２）（１）のより形成された長辺３２１及び３２２中央を額に当てて頭を覆い、この繊維製品３０１の両長辺及び折り目の一部をそれぞれ含む二つの領域を後頭部で結び合わせる（図１４乃至図１６と同様になる。）。
【００８３】
その他の説明については、第１乃至３実施形態の説明に準じる。
【００８４】
（第５実施形態）
第５実施形態は、第３実施形態や第４実施形態と隣接部の形状が異なる。図１８のように、繊維製品４０１は長方形である。そして、繊維製品４０１は、中央部４０２と、隣接部４０５と、隣接部４０６と、端部４０７ａと、端部４０７ｂと、端部４０８ａと、端部４０８ｂと、を有する。
【００８５】
隣接部４０５は、頂点囲み領域４０５ａ（実線と破線で囲んだ領域）と、曲線帯状領域４０５ｄ（一点鎖線と実線で囲んだ領域）と、を有する。隣接部４０６は、頂点囲み領域４０６ａ（実線と破線で囲んだ領域）と、曲線帯状領域４０６ｄ（一点鎖線と実線で囲んだ領域）と、を有する。頂点囲み領域４０５ａ及び４０６ａについては、第１実施形態の頂点囲み領域５ａ及び５ｂの説明に準じる。
【００８６】
繊維製品４０１の下長辺４２２の中央を額に当ててこの繊維製品で頭を覆い、この繊維製品の両長辺４２１及び４２２の一部をそれぞれ含む二つの領域を後頭部で結び合わせた場合（以下、第３使用方法という。）に形成される第３結び目を構成する第３結び目構成部４０５ｘ（又は４０６ｘ）の形状は、左短辺４２３（又は右短辺４２４）に平行にならず、上長辺側上端が下長辺側下端よりも長辺方向内側に位置するとともに、外側（略長辺方向外側）に膨らんでいる。第３結び目構成部４０５ｘ（又は４０６ｘ）は、上長辺４２１の左短辺４２３側（又は右短辺４２４側）の一部と、下長辺４２２の左短辺４２３側（又は右短辺４２４側）の一部とを繋げた曲線帯状になる。なお、第３結び目構成部４０５ｘ（又は４０６ｘ）の長辺方向内側の辺と、長辺方向外側の辺とは、湾曲しており、第３結び目構成部４０５ｘ（又は４０６ｘ）は、湾曲線帯状となる。さらに、長辺方向外側の辺は、長辺方向内側の辺よりも緩やかに湾曲し、緩やかに外側に膨らんでいる。また、第３結び目構成部４０５ｘ（又は４０６ｘ）は、上部（短辺方向の下半分）が略直線で、下部（短辺方向の下半分）が湾曲している。第３結び目構成部４０５ｘ（又は４０６ｘ）は、下部の曲がり（カーブ）が上部に比べきつくなっている。
【００８７】
曲線帯状領域４０５ｄ（又は４０６ｄ）は、第３結び目構成部４０５ｘ（又は４０６ｘ）を含むように形成する。曲線帯状領域４０５ｄ（又は４０６ｄ）は、左短辺２２３（又は右短辺２２４）周辺に位置する。曲線帯状領域４０５ｄ（又は４０６ｄ）は、上長辺側上端が下長辺側下端よりも長辺方向内側に位置するとともに、外側（略長辺方向外側）に膨らんでいる形状となる。曲線帯状領域４０５ｄ（又は４０６ｄ）は、上長辺４２１の左短辺４２３側（又は右短辺４２４側）の一部４２１ｂ（又は４２１ｄ）と、下長辺４２２の左短辺４２３側（右短辺４２４側）の一部４２２ｂ（又は４２２ｄ）とを繋げた湾曲線帯状領域になる。なお、曲線帯状領域４０５ｄ（又は４０６ｄ）の長辺方向内側の辺と、長辺方向外側の辺とは、湾曲しており、曲線帯状領域４０５ｄ（又は４０６ｄ）は、湾曲線帯状となる。さらに、長辺方向外側の辺は、長辺方向内側の辺よりも緩やかに曲がり（湾曲し）、緩やかに外側に膨らんでいる。また、曲線帯状領域４０５ｄ（又は４０６ｄ）は、上部が略直線で、下部が曲がって（湾曲して）いる。曲線帯状領域４０５ｄ（又は４０６ｄ）は、下部の曲がり（カーブ）が上部に比べきつくなっている。このように曲線帯状領域４０５ｄ（又は４０６ｄ）は、第３結び目構成部４０５ｘ（又は４０６ｘ）の形状に合わせて形成されている。
【００８８】
隣接部４０５（又は４０６）は、中央部４０２との境界４１１（又は４１３）、端部４０７ａ（又は端部４０８ａ）との境界４１２ａ（又は４１４ａ）、端部４０７ｂ（又は端部４０８ｂ）との境界４１２ｂ（又は４１４ｂ）、上長辺４２１の一部４２１ｂ（又は４２１ｄ）、下長辺４２２の一部４２２ｂ（又は４２２ｄ）、及び左短辺４２３（又は右短辺４２４）の一部４２３ｂ（又は４２４ｂ）で囲まれる。境界４１１、境界４１２は、湾曲線状である。
【００８９】
繊維製品４０２では、境界４１１（又は４１３）は、上長辺側上端４９５（又は４９６）が下長辺側下端４９７（又は４９８）よりも長辺方向内側に位置するとともに、外側（略長辺方向外側）に膨らんでいる形状となっている。これにより、隣接部は、第３結び目構成部４０５ｘ（又は４０６ｘ）の形状に合わせることが出来、中央部４０２を大きく取ることができる。さらに、頂点囲み領域４０５ａ（又は４０６ａ）の長辺方向内側に曲線帯状領域４０５ｃ（又は４０６ｃ）が位置する（少なくとも一部が頂点囲み領域４０５ａ（又は４０６ａ）よりも内側に位置する）ため、境界４１１（又は４１３）の形状は曲線帯状領域４０５ｄ（又は４０６ｄ）に依存し、隣接部４０５（又は４０６）の形状がより第３結び目構成部４０５ｘ（又は４０６ｘ）の形状に合わせることが出来るため、隣接部４０５（又は４０６）を小さく出来る。さらに、境界４１１（又は４１３）は、上部が略直線である。また、境界４１１（又は４１３）は、上部が略直線で、下部が曲がって（湾曲して）いる。境界４１１（又は４１３）は、下部の曲がり（カーブ）が上部に比べきつくなっている。このように境界４１１（又は４１３）は、第３結び目構成部４０５ｘ（又は４０６ｘ）の形状に合わせて形成されているので、隣接部４０５（又は４０６）を小さく出来る。
【００９０】
端部４０７ａ（又は４０８ａ）は、頂点囲み領域４０５ａ（又は４０６ａ）が囲む頂点と短辺共通で反対側の頂点４４１（又は４４２）近傍に位置する。端部４０７ａ（又は４０８ａ）は、頂点４４１（又は４４２）を囲むように形成される。端部４０７ｂ（又は４０８ｂ）は、頂点囲み領域４０５ａ（又は４０６ａ）が囲む頂点４４３（又は４４４）近傍に位置する。端部４０７ｂ（又は４０８ｂ）は、頂点４４３（又は４４４）を囲むように形成される。端部４０７ａ、端部４０７ｂ、端部４０８ａ、又は端部４０８ｂは、それぞれ、隣接部４０５又は隣接部４０６よりも生地が厚い又は重いので、境界４１１（又は４１３）の外側に隣接部４０５（又は４０６）の生地よりも生地の厚い又は重い部分が形成されていることになる。第１結び目を形成した際には第１端部４０７ｂ及び端部４０８ｂが引っかかりとなり、第３結び目を形成した際には第１端部４０７ａ、端部４０８ａ、第１端部４０７ｂ、及び端部４０８ｂが引っかかりとなり、それぞれの結び目が解け難くなる。これにより、繊維製品４０１は、複数の使用方法について、結び目を解け難くする繊維製品となる。
【００９１】
このように形成した隣接部４０５及び４０６は第３結び目構成部４０５ｘ及び４０６ｘを含むので、第３結び目は隣接部４０５及び４０６の少なくとも一部で形成され、繊維製品４０１は、第３使用方法において、結び易く、第３結び目が解け難くなる。さらに、このように形成した隣接部４０５及び４０６は第１結び目構成部（図１参照）を含むので、第１結び目は隣接部４０５及び４０６の少なくとも一部で形成され、繊維製品４０１は、第１使用方法において、結び易く、第１結び目が解け難くなる。これらにより、繊維製品４０１は、複数の使用方法について、結び易く、結び目を解け難くする繊維製品となる。
【００９２】
頭の大きさは個人差があるため、第３結び目構成部４０５ｘ及び４０６ｘの位置及び形状は、人によって異なる。このため、曲線帯状領域４０５ｄ及び４０６ｄは、大きめに取った方がよい。すなわち、上長辺４２１の一部４２１ｂ、下長辺４２２の一部４２２ｂ、上長辺４２１の一部４２１ｄ、及び下長辺４２２の一部４２２ｄ、を適宜長く取った方が良い。これにより、曲線帯状領域４０５ｄ及び４０６ｄは大きくなる。そして、曲線帯状領域４０５ｄ及び４０６ｄは幅広になる。
【００９３】
繊維製品の寸法は、例えば、上長辺４２１及び下長辺４２２の長さが８４ｃｍである。短辺４２３及び２２４の長さが３４ｃｍである。上長辺４２１の一部４２１ｃは、例えば、第３使用方法のように、頭を覆って結び合わせるために繊維製品４０１を両手で握って、下長辺４２２の中央を額に当て、後頭部に手を回した際の両手で握った位置の間の長さが良く、２０ｃｍから３０ｃｍ（特に２５cm程度）であると良い。上長辺４２２の一部４２２ｃは、例えば人の平均的な頭囲等の頭部周長の長さよりもやや短い程度の長さが良く、４５ｃｍから５５ｃｍで、特に５０ｃｍ程度が良い。４２１ｂ、４２１ｄ、４２２ｂ、４２２ｄは第３結び目相当部を含むように１０ｃｍから１６ｃｍの間の長さがよい。
【００９４】
第１Ａ使用方法、第１Ｃ使用方法、及び第３使用方法において、繊維製品の一部４２２ｃが頭の額から後頭部にかけた部分で巻かれることを考えると、図１８のように、境界４１１の下長辺側下端と、頂点囲み領域の長辺方向内側端の位置は、長辺方向において同じ座標（符号４９７等参照）にあることが望ましい。なお、隣接部４０５又は４０６は、頂点囲み部４０５ａ又は４０６ａを有さなくても良い。これにより、端部を大きく取ることが出来る。
【００９５】
ここで、第３使用方法について説明する。
【００９６】
（第３使用方法）
（１）下長辺４２２の中央を額に当てて頭を覆い、この繊維製品４０１の両長辺の一部を含む領域を後頭部で結び合わせる（図１９乃至図２２）。
【００９７】
図１９乃至図２２のような使用方法は、例えば、男性が肉体労働時に汗を繊維製品２０１に吸収させるため等を目的としたものである。図１９乃至図２２のように、結び目４５５は、曲線帯状領域４０５ｄ及び４０６ｄの少なくとも一部で形成されている。
【００９８】
その他の説明については、第１乃至４実施形態の説明に準じる。
【００９９】
（変形例）
（１）頂点囲み領域の形状は以下のように適宜変更できる。なお、以下では、頂点囲み領域５ａ又は１０５ａについての変形例を示すが、当然他の頂点囲み領域についても適用できる。また、第１実施形態や第２実施形態と重複する説明については省略する。
【０１００】
例えば、図２３のように、端部を形成せずに、この端部に相当する領域を頂点囲み領域５０５ａの一部としてもよい。このように、端部は、形成されなくても良い。頂点囲み領域５０５ａは、扇状になっている。頂点囲み領域５０５ａは、第１結び目構成部５０５ｘ（第１結び目構成部５ｘに相当する。）を含む。頂点囲み領域５０５ａと、他の部分（中央部５０２）との境界５１１は円弧状になっている。境界５１１の外側全ては、隣接部５０５となっている。下長辺の頂点側一部５２２ａ又は左短辺の頂点側一部５２３ｂは、頂点も適宜含む。端部が形成されないと頂点囲み領域５０５ａの形状が単純になり、隣接部５０５の形成が容易になる。また、結び目を含む結んだ部分全体を小さく出来る。
【０１０１】
例えば、図２４のように、頂点囲み領域の形状を頂点囲み領域６０５ａのように、斜め直線帯状にしても良い。頂点囲み領域６０５ａは、第１結び目構成部６０５ｘ（第１結び目構成部５ｘに相当する。）を含む。頂点囲み領域６０５ａと、他の部分（中央部６０２）との境界６１１は斜め直線状になっている。端部６０７は、三角形（略三角形も含む）になる。斜め直線帯状の頂点囲み領域６０５ａは、第１結び目構成部６０５ｘの形状に近いが、第１実施形態よりも頂点囲み領域６０５ａが大きくなってしまう場合がある。なお、上記同様、端部６０７を形成せずに、この端部６０７に構成する領域を頂点囲み領域６０５ａの一部としてもよい。端部６０７が形成されないと頂点囲み領域６０５ａの形状が三角形となるので単純になり、隣接部５０５の形成が容易になる。この場合、境界６１１の外側全ては、頂点囲み領域６０５ａとなる。また、結び目を含む、結んだ部分全体を小さく出来る。
【０１０２】
例えば、図２５のように、頂点囲み領域の形状を頂点囲み領域７０５ａのように、折れ線帯状にしても良い。頂点囲み領域７０５ａは、第１結び目構成部７０５ｘ（第１結び目構成部５ｘに相当する。）を含む。頂点囲み領域７０５ａと、他の部分（中央部７０２）との境界７１１は折れ線状になっている。端部７０７は、四角形（略四角形も含む）になる。なお、図２５では、折れ線は、一つの頂点を持つ折れ線であるが、複数の頂点を持つ折れ線であっても良い。折れ線帯状の頂点囲み領域７０５ａは、第１結び目構成部７０５ｘの形状に近いが、第１実施形態よりも頂点囲み領域７０５ａが大きくなってしまう。なお、上記同様、端部７０７を形成せずに、この端部７０７に構成する領域を頂点囲み領域７０５ａの一部としてもよい。端部７０７が形成されないと頂点囲み領域７０５ａの形状が四角形（又はその他の多角形でもよい。）となるので単純になり、隣接部７０５の形成が容易になる。この場合、境界７１１の外側全ては、頂点囲み領域７０５ａとなっている。また、結び目を含む、結んだ部分全体を小さく出来る。
【０１０３】
（２）曲線帯状領域２０５ｃは、図２６のように、折れ線状の折れ線帯状領域８０５ｃとしてもよい。折れ線帯状領域８０５ｃは、第２Ａ結び目構成部８０５ｘ（第２Ａ結び目構成部２０５ｘに相当する。）を含むように形成する。折れ線帯状領域８０５ｃは、短辺方向中央の部分が最も長辺方向外側に位置する形状となる。中央部８０２との境界８１１、及び端部８０７との境界８１２は、折れ線状である。境界８１１は、中央部８０２の外側に向かって膨らむとともに、短辺方向中央が最も長辺方向外側に位置する形状となっている。これにより、隣接部は、第２Ａ結び目構成部８０５ｘの形状に合わせることが出来、中央部８０２を大きく取ることができる。但し、折れ線帯状領域８０５ｃは、第２Ａ結び目構成部８０５ｘの形状に近いが、折れ線帯状領域８０５ｃが大きくなってしまう場合がある。端部８０７は、隣接部８０５の形状に合わせて形成される。その他の説明は、第１実施形態乃至第５実施形態の説明に適宜準じる。
【０１０４】
曲線帯状領域３０５ｃは、図２７のように、折れ線状の折れ線帯状領域９０５ｃとしてもよい。折れ線帯状領域９０５ｃは、第２Ｂ結び目構成部９０５ｘ（第２Ｂ結び目構成部３０５ｘに相当する。）を含むように形成する。折れ線帯状領域９０５ｃは、短辺方向中央の部分が最も長辺方向内側に位置する形状となる。中央部９０２との境界９１１、及び端部９０７との境界９１２は、折れ線状である。境界９１１は、中央部９０２の内側に向かって膨らむとともに、短辺方向中央が最も長辺方向内側に位置する形状となっている。これにより、隣接部９０５は、第２Ｂ結び目構成部９０５ｘの形状に合わせることが出来、中央部９０２を大きく取ることができる。但し、折れ線帯状領域９０５ｃは、第２Ｂ結び目構成部９０５ｘの形状に近いが、折れ線帯状領域９０５ｃが大きくなってしまう場合がある。端部９０７は、隣接部９０５の形状に合わせて形成される。その他の説明は、上記説明に適宜準じる。
【０１０５】
（３）上記で説明した頂点囲み領域（５ａ、又は５ｂ等）と、上記で説明した第２Ａ結び目構成部又は第２Ｂ結び目構成部を含むように形成する曲線帯状領域（２０５ｃ、又は３０５ｃ）又は折れ線帯状領域（８０５ｃ、又は９０５ｃ）を適宜組み合わせて隣接部を形成しても良い。例えば、図２８では、隣接部１００５は、破線及び実線で囲んだ領域の頂点囲み領域１００５ａ（頂点囲み領域５ａに相当する。）と、一点鎖線及び実線で囲んだ領域の曲線帯状領域１００５ｃ（曲線帯状領域２０５ｃに相当する。）とを有する。図２９では、隣接部１１０５は、破線及び実線で囲んだ領域の頂点囲み領域１１０５ａ（頂点囲み領域５ａに相当する。）と、破線及び実線で囲んだ領域の頂点囲み領域１１０５ｂ（頂点囲み領域５ｂに相当する。）と、一点鎖線及び実線で囲んだ領域の曲線帯状領域１１０５ｃ（曲線帯状領域２０５ｃに相当する。）とを有する。頂点囲み領域と、上記で説明した第２Ａ結び目構成部又は第２Ｂ結び目構成部を含むように形成する曲線帯状領域又は折れ線帯状領域とを組合せる場合、図２８や図２９のように、曲線帯状領域又は折れ線帯状領域の方が（少なくとも一部が）、長辺方向内側に位置する場合が多い。このため、中央部と、隣接部との境界は、曲線帯状領域又は折れ線帯状領域の形状に依存する場合が多い。また、第１Ａ使用方法、第１Ｃ使用方法、及び第２使用方法において、繊維製品が頭の額から後頭部にかけた部分で巻かれることを考えると、図２８や図２９のように、曲線帯状領域又は折れ線帯状領域と中央部との境界の最も長辺方向外側の位置と、頂点囲み領域の長辺方向内側端の位置は、長辺方向において同じ座標にあることが望ましい。その他の説明は、上記の説明に適宜準じる。
【０１０６】
（４）曲線帯状領域４０５ｄは、図３０のように、折れ線状の折れ線帯状領域１２０５ｃ（一点鎖線及び実線で囲んだ領域）としてもよい。折れ線帯状領域１２０５ｃは、第３結び目構成部１２０５ｘ（第３結び目構成部４０５ｘに相当する。）を含むように形成する。折れ線帯状領域１２０５ｃは、上長辺側上端が下長辺側下端よりも長辺方向内側に位置するとともに、外側に膨らんでいる。隣接部１２０５と中央部１２０２との境界１２１１は、折れ線状である。曲線帯状領域４０５ｄの長辺方向外側の辺（境界１２１１）は、長辺方向内側の辺よりも緩やかに曲がり（折れ曲がり）、緩やかに外側に膨らんでいる。また、曲線帯状領域１２０５ｄは、上部が略直線で、下部が曲がって（折れ曲がって）いる。曲線帯状領域１２０５ｄは、下部の曲がり（折れ曲がり）が上部に比べきつくなっている。このように曲線帯状領域１２０５ｄは、第３結び目構成部１２０５ｘの形状に合わせて形成されている。これにより、中央部１２０２を大きく取ることができる。但し、折れ線帯状領域１２０５ｄは、第３結び目構成部１２０５ｘの形状に近いが、折れ線帯状領域１２０５ｄが大きくなってしまう場合がある。端部１２０７ａ、及び１２０７ｂは、隣接部１２０５の形状に合わせて形成される。その他の説明は、上記の説明に適宜準じる。
【０１０７】
（５）なお、第１実施形態、第２実施形態の繊維製品に、両長辺の一部を繋げた帯状領域を加えても良い。そして、この繊維製品は、中央部と隣接部との境界の長辺方向外側に隣接部の生地よりも厚い又は重い生地の一以上の端部を有し、境界は、直線状である。中央部と隣接部との境界の外側に隣接部よりも生地の厚い又は重い一以上の部分（端部等）を有すると隣接部を不必要に大きくする必要がない。例えば、図３１に示すように、第３結び目構成部１３０５ｘ（第３結び目構成部４０５ｘに構成する。）を含むように、中央部１３０２と隣接部１３０５との境界１３１１は、上長辺側上端が下長辺側下端よりも長辺方向内側に位置し、かつ直線状になる。これにより、隣接部１３０５を容易に形成できる場合がある。また、隣接部１３０５を、第３結び目構成部１３０５ｘの形状に合わせることが出来、中央部１３０２を大きく取ることができるが、境界１３１１が外側に膨らんでいる方が中央部１３０２を大きく取ることができる場合がある。また、境界１３１１は、第２Ａ又は第２Ｂ結び目構成部を含むように形成しても良く、この場合、図３１よりも境界１３１１の下長辺側下端が長辺方向内側に移動する場合がある。図３１に示すように、隣接部１３０５は、短辺共通の頂点囲み領域１３０５ａ（破線及び実線で囲んだ領域）と、曲線帯状領域１３０５ｅ（一点鎖線及び実線で囲んだ領域）とからなる。その他の説明は、上記の説明に適宜準じる。
【０１０８】
（６）なお、隣接部４０５又は１２０５は、第２実施形態のように短辺共通の頂点囲み領域をさらに有しても良い。頂点囲み領域は、変形例（１）のものでもよい。例えば、図３２では、隣接部１４０５は、頂点囲み領域１４０５ａ（破線及び実線で囲んだ領域）と、頂点囲み領域１４０５ｂ（破線及び実線で囲んだ領域）と、曲線帯状領域１４０５ｄ（一点鎖線及び実線で囲んだ領域）と、を有する。中央部と隣接部との境界の外側に隣接部よりも生地の厚い又は重い一以上の部分（端部等）を有するとよい。これにより、隣接部を不必要に大きくする必要がない。その他の説明は、上記の説明に適宜準じる。
【０１０９】
（７）なお、隣接部は、第２Ａ結び目構成部又は及び第２Ｂ結び目構成部を含む曲線帯状領域又は折れ線帯状領域等の帯状領域と、第３結び目構成部を含む曲線帯状領域又は折れ線帯状領域の帯状領域とを有しても良い。この場合でも、隣接部と、中央部との境界は、中央部の外側に膨らむ形状で、上長辺側上端が下長辺側下端よりも長辺方向内側に位置する形状となる。このような繊維製品は、複数の使用方法に対応し、かつ中央部を大きく取ることが出来る。例えば、図３３では、隣接部１５０５は、第２Ａ結び目構成部を含む曲線帯状領域１５０５ｃ（破線及び実線で囲んだ領域）と、第３結び目構成部を含む曲線帯状領域１５０５ｄ（一点鎖線及び実線で囲んだ領域）とを有する。例えば、図３４では、隣接部１６０５は、第２Ｂ結び目構成部を含む曲線帯状領域１６０５ｃ（破線及び実線で囲んだ領域）と、第３結び目構成部を含む曲線帯状領域１６０５ｄ（一点鎖線及び実線で囲んだ領域）とを有する。そして、図３３及び図３４では、境界１５１１又は１６１１は、上長辺側上端が下長辺側下端よりも長辺方向内側に位置するとともに、外側に膨らんでいる。当然隣接部は、頂点囲み領域を有しても良い。その他の説明は、上記の説明に適宜準じる。
【０１１０】
（８）なお、隣接部は、中央部と隣接部との境界が、短辺方向中央が最も長辺方向外側又は内側に位置するか、上長辺側上端が下長辺側下端よりも長辺方向内側に位置するとともに、外側に膨らんでいればよいため、隣接部は、境界の外側全部を占めても良い。例えば図３５では、中央部１７０２と隣接部１７０５との境界１７１１は、中央部１７０２の外側に向かって膨らみ、短辺方向中央が最も長辺方向外側に位置し、境界１７１１の外側は全て隣接部になっている。例えば、図３６では、中央部１８０２と隣接部１８０５との境界１８１１は、上長辺側上端が下長辺側下端よりも長辺方向内側に位置するとともに、外側に膨らんで、境界１８１１の外側は全て隣接部になっている。このような繊維製品は、複数の使用方法において、結び易く、結び目が解け難い、結んだ部分全体を小さく出来る等の利点を有する。なお、適宜上記のような又はその他の、隣接部よりも生地の厚い部分があっても良い。その他の説明は、上記の説明に適宜準じる。
【図面の簡単な説明】
【０１１１】
【図１】第１実施形態に係る繊維製品を示す図である。
【図２】第１Ａ使用方法で第１実施形態に係る繊維製品を使用した状態を顔側から見た概略状態図である。
【図３】図２の次の手順を示す概略状態図である。
【図４】図３の次の手順を示す概略状態図である。
【図５】図４の次の手順を示す概略状態図である。
【図６】図５を後頭部側から見た説明図である。
【図７】第１Ｂ使用方法で第１実施形態に係る繊維製品を使用した状態を顔側から見た概略状態図である。
【図８】第１Ｂ使用方法で第１実施形態に係る繊維製品を使用した状態を斜め後方から見た概略状態図である。
【図９】第１Ｃ使用方法で第１実施形態に係る繊維製品を使用した状態を顔側から見た概略状態図である。
【図１０】第１Ｃ使用方法で第１実施形態に係る繊維製品を使用した状態を斜め後方から見た概略状態図である。
【図１１】第１Ｃ使用方法で第１実施形態に係る繊維製品を使用した状態を後方から見た概略状態図である。
【図１２】第２実施形態に係る繊維製品を示す図である。
【図１３】第３実施形態に係る繊維製品を示す図である。
【図１４】第２Ａ使用方法で第３実施形態に係る繊維製品を使用した状態を顔側から見た概略状態図である。
【図１５】第２Ａ使用方法で第３実施形態に係る繊維製品を使用した状態を横から見た概略状態図である。
【図１６】第２Ａ使用方法で第３実施形態に係る繊維製品を使用した状態を斜め後方から見た概略状態図である。
【図１７】第４実施形態に係る繊維製品を示す図である。
【図１８】第５実施形態に係る繊維製品を示す図である。
【図１９】第３使用方法で第５実施形態に係る繊維製品を使用した状態を顔側から見た概略状態図である。
【図２０】第３使用方法で第５実施形態に係る繊維製品を使用した状態を横から見た概略状態図である。
【図２１】第３使用方法で第５実施形態に係る繊維製品を使用した状態を斜め後方から見た概略状態図である。
【図２２】第３使用方法で第５実施形態に係る繊維製品を使用した状態を後方から見た概略状態図である。
【図２３】変形例に係る繊維製品を示す図である。
【図２４】変形例に係る繊維製品を示す図である。
【図２５】変形例に係る繊維製品を示す図である。
【図２６】変形例に係る繊維製品を示す図である。
【図２７】変形例に係る繊維製品を示す図である。
【図２８】変形例に係る繊維製品を示す図である。
【図２９】変形例に係る繊維製品を示す図である。
【図３０】変形例に係る繊維製品を示す図である。
【図３１】変形例に係る繊維製品を示す図である。
【図３２】変形例に係る繊維製品を示す図である。
【図３３】変形例に係る繊維製品を示す図である。
【図３４】変形例に係る繊維製品を示す図である。
【図３５】変形例に係る繊維製品を示す図である。
【図３６】変形例に係る繊維製品を示す図である。
【符号の説明】
【０１１２】
１、１０１、２０１、３０１、４０１、５０１、６０１、７０１、８０１、９０１、１００１、１１０１、１２０１、１３０１、１４０１、１５０１、１６０１、１７０１、１８０１  繊維製品
２、１０２、２０２、３０２、４０２、５０２、６０２、７０２、８０２、９０２、１００２、１１０２、１２０２、１３０２、１４０２、１５０２、１６０２、１７０２、１８０２  中央部
５、１０５、２０５、３０５、４０５、１００５、１１０５、１２０５、１３０５、１４０５、１５０５、１６０５、１７０５、１８０５  隣接部
６、１０６、２０６、４０６  隣接部
５ａ、１０５ａ、１０５ｂ、４０５ａ、５０５ａ、６０５ａ、７０５ａ、１００５ａ、１１０５ａ、１１０５ｂ、１２０５ａ、１３０５ａ、１４０５ａ、１４０５ｂ  頂点囲み領域
６ａ、１０６ａ、１０６ｂ、４０６ａ  頂点囲み領域
２０５ｃ、３０５ｃ、１００５ｃ、１１０５ｃ、１５０５ｃ、１６０５ｃ、１７０５、１８０５  曲線帯状領域
２０６ｃ  曲線帯状領域
４０５ｄ、１４０５ｄ、１５０５ｄ、１６０５ｄ  曲線帯状領域
４０６ｄ  曲線帯状領域
８０５ｃ、９０５ｃ  折れ線帯状領域
１２０５ｄ  折れ線帯状領域
１３０５ｅ  帯状領域
７、１０７ａ、１０７ｂ、２０７、３０７、４０７ａ、４０７ｂ、６０７、７０７、８０７，９０７、１２０７ａ、１２０７ｂ  端部
８、１０８ａ、１０８ｂ、２０８、３０７、４０８ａ、４０８ｂ  端部
１１、１１１ａ、１１１ｂ、２１１、３１１、４１１、５１１、６１１、７１１、８１１、９１１、１２１１、１３１１、１５１１、１６１１、１７１１、１８１１  境界
１３、１１３ａ、１１３ｂ、２１３、４１３  境界
４１  頂点
４２  頂点
４３  頂点
４４  頂点
４４１  頂点
４４２  頂点
４４３  頂点
４４４  頂点
２９１  中央
２９２  中央
４９５  上長辺側上端
４９６  上長辺側上端
４９７  下長辺側下端
４９８  下長辺側下端
２１、１２１、２２１、３２１、４２１、１２２１  上長辺
２２、１２２、２２２、３２２、４２２  下長辺
２３、１２３、２２３、３２３、４２３  左短辺
２４、１２４、２２４、４２４  右短辺
【図１】
2009120999.tif 000003
【図２】
2009120999.tif 000004
【図３】
2009120999.tif 000005
【図４】
2009120999.tif 000006
【図５】
2009120999.tif 000007
【図６】
2009120999.tif 000008
【図７】
2009120999.tif 000009
【図８】
2009120999.tif 000010
【図９】
2009120999.tif 000011
【図１０】
2009120999.tif 000012
【図１１】
2009120999.tif 000013
【図１２】
2009120999.tif 000014
【図１３】
2009120999.tif 000015
【図１４】
2009120999.tif 000016
【図１５】
2009120999.tif 000017
【図１６】
2009120999.tif 000018
【図１７】
2009120999.tif 000019
【図１８】
2009120999.tif 000020
【図１９】
2009120999.tif 000021
【図２０】
2009120999.tif 000022
【図２１】
2009120999.tif 000023
【図２２】
2009120999.tif 000024
【図２３】
2009120999.tif 000025
【図２４】
2009120999.tif 000026
【図２５】
2009120999.tif 000027
【図２６】
2009120999.tif 000028
【図２７】
2009120999.tif 000029
【図２８】
2009120999.tif 000030
【図２９】
2009120999.tif 000031
【図３０】
2009120999.tif 000032
【図３１】
2009120999.tif 000033
【図３２】
2009120999.tif 000034
【図３３】
2009120999.tif 000035
【図３４】
2009120999.tif 000036
【図３５】
2009120999.tif 000037
【図３６】
2009120999.tif 000038